(57)【特許請求の範囲】
【請求項１】
商品展示部、精算部、商品取出口が外扉の正面に設けられた自動販売機において、販売機本体の正面側開口部に連結された開閉可能な外扉の正面に対して取付け手段にて取り付けられる自動販売機用扉装飾体であって、
前記扉装飾体を、
前記商品展示部、精算部、商品取出口を避けて、該商品展示部より上方の前記外扉の上部正面に取り付けられる上部装飾体と、
前記上部装飾体の幅方向端部下方に配置され、前記外扉の幅方向端部正面に取り付けられる側部装飾体と、
前記商品展示部より下方の前記外扉の下部正面に取り付けられる下部装飾体とで構成し、
前記側部装飾体を、
前記上部装飾体の幅方向一端側下方に配置され、前記外扉の幅方向一端側正面に取り付けられる該外扉の縦方向と略同一長さに形成した長尺側部装飾体と、
前記上部装飾体の幅方向他端側下方に配置され、前記外扉の幅方向他端側正面に取り付けられる前記商品展示部の縦方向と略同一長さに形成した短尺側部装飾体とで構成し、
前記上部装飾体の幅方向一端側正面に、
前記長尺側部装飾体の上端部と対応する大きさ及び形状に形成されるとともに、該上端部の挿入が許容される開口部を該上部装飾体の正面向けて開口した
自動販売機用扉装飾体。
【請求項２】
前記下部装飾体を、
前記商品展示部と前記商品取出口との間であって前記外扉の中央部正面に取り付けられる中央部装飾体と、
前記商品取出口より下方の前記外扉の下部正面に取り付けられる下端部装飾体とで構成した
請求項１に記載の自動販売機用扉装飾体。
【請求項３】
前記中央部装飾体及び前記下端部装飾体の左右縁部を、該装飾体の上端側から下端側に向けて徐々に幅狭となる滑らかな曲線形状に形成した
請求項２に記載の自動販売機用扉装飾体。
【請求項４】
前記外扉正面の隣り合う位置に装着される前記上部装飾体及び前記側部装飾体の対向端部と、前記側部装飾体と前記下部装飾体の対向端部に、該各装飾体の対向端部を互いに連結する連結手段を設けた
請求項１〜３のいずれか一つに記載の自動販売機用扉装飾体。
【発明の詳細な説明】
【技術分野】
【０００１】
この発明は、例えば飲料、煙草、菓子等の商品を販売する自動販売機の外扉を装飾するような自動販売機用扉装飾体に関する。
【背景技術】
【０００２】
昨今、ジュースなどの飲料やタバコなどをはじめ様々な商品を手軽に購入できる自動販売機は、その利便性の高さから様々な場所に数多く設置されている。  
一方で自動販売機は、企業にとって外観に施した塗装や装飾で新商品などをアピールする広告としての役割もある。ところが、一旦、自動販売機が設置されると、外観に施した塗装などは、時間とともにデザイン的にも古くなり、さらに商品サイクルに合わせて変更することが容易ではなかった。  
そこで商品などの入替わりに伴い自由に変更することができ、インパクトのある装飾などができる着脱可能なフロントカバーが提案されている（特許文献１参照）。
【０００３】
特許文献１の扉カバー取付け治具は、扉カバー取付け治具を扉の幅方向であって販売機本体との連結側正面に取り付けた後、扉カバーを、扉カバー取付け治具の外側から扉の正面に被せるようにして扉カバー取付け治具に固定するカバー付自動販売機が提案されている。
【０００４】
しかし、既存の自動販売機のデザインを旧型から新型へ変更する場合、扉カバーの全体を交換しなければならず、その交換作業に手間及び時間が掛かるだけでなく、交換する際の作業性が悪い。また、扉カバーの一部に、例えば割れ、破損等が発生したり、汚れや変色、経年変化等が顕著であるため、扉カバーによる装飾性あるいは意匠性が損なわれてしまった場合、扉カバーの全体を新しい扉カバーに交換しなければならず、扉カバーの交換に要する費用が高くなるという問題があった。
【先行技術文献】
【特許文献】
【０００５】
【特許文献１】特開２０１１−７０６７７号公報
【発明の概要】
【発明が解決しようとする課題】
【０００６】
この発明は、扉装飾体を、既存の自動販売機の外扉正面に取り付けるだけで、自動販売機のデザインを旧型から新型へ変更することができる自動販売機用扉装飾体を提供することを目的とする。
【課題を解決するための手段】
【０００７】
この発明は、商品展示部、精算部、商品取出口が外扉の正面に設けられた自動販売機において、販売機本体の正面側開口部に連結された開閉可能な外扉の正面に対して取付け手段にて取り付けられる自動販売機用扉装飾体であって、前記扉装飾体を、前記商品展示部、精算部、商品取出口を避けて、該商品展示部より上方の前記外扉の上部正面に取り付けられる上部装飾体と、前記上部装飾体の幅方向端部下方に配置され、前記外扉の幅方向端部正面に取り付けられる側部装飾体と、前記商品展示部より下方の前記外扉の下部正面に取り付けられる下部装飾体とで構成し、前記側部装飾体を、前記上部装飾体の幅方向一端側下方に配置され、前記外扉の幅方向一端側正面に取り付けられる該外扉の縦方向と略同一長さに形成した長尺側部装飾体と、前記上部装飾体の幅方向他端側下方に配置され、前記外扉の幅方向他端側正面に取り付けられる前記商品展示部の縦方向と略同一長さに形成した短尺側部装飾体とで構成し、前記上部装飾体の幅方向一端側正面に、前記長尺側部装飾体の上端部と対応する大きさ及び形状に形成されるとともに、該上端部の挿入が許容される開口部を該上部装飾体の正面向けて開口した自動販売機用扉装飾体であることを特徴とする。
【０００８】
この発明によると、扉装飾体を、既存の自動販売機の外扉正面に取り付けるだけで、自動販売機のデザインを旧型から新型へ簡単かつ容易に変更することができ、デザインを変更する際の作業性が向上する。
【０００９】
また、扉装飾体の全体を交換しなくても、扉装飾体のいずれか一つ又は複数の装飾体を、例えば大きさや形状、色、模様等のデザインが異なる別の装飾体に交換するだけでも、自動販売機のデザインを変更することができる。
【００１０】
また、扉装飾体のいずれか一つ又は複数の装飾体に、例えば割れ、破損等が発生したり、汚れや変色、経年変化等が顕著であり、扉装飾体による取付け当初のデザインが損なわれてしまっても、その部分の装飾体のみを交換するだけで、取付け当初のデザインに取り戻すことができる。
【００１１】
また、装飾性あるいは意匠性が損なわれてしまった部分の装飾体のみを交換するだけで済むため、従来例のように扉カバー全体を交換するのに比べて、装飾体の交換に要する費用が安くて済み、コストの低減を図ることができる。
【００１２】
詳述すると、扉装飾体を構成する上部装飾体と、側部装飾体と、下部装飾体とを、外扉の正面に設けられた商品展示部、精算部、商品取出口を避けて、該外扉の正面が覆われるように取り付ける。上部装飾体は、商品展示部より上方の外扉の上部正面に取り付ける。また、側部装飾体は、上部装飾体の幅方向端部下方に配置して、外扉の幅方向端部正面に取り付ける。また、下部装飾体は、商品展示部より下方の外扉の下部正面に取り付ける。
【００１３】
すなわち、上部装飾体と、側部装飾体と、下部装飾体とを、例えば各装飾体の端部が互いに近接あるいは当接するように配置したり、曲線形状を有する各装飾体の曲線部分が連続するように配置する等して、例えば会社や商品等のイメージと対応するデザインを、上部装飾体と、側部装飾体と、下部装飾体とによって外扉の正面に構成する。
【００１４】
側部装飾体を外扉の正面に取り付ける際に、該側部装飾体を構成する長尺側部装飾体を、上部装飾体の幅方向一端側下方に配置して、外扉の幅方向一端側正面に取り付ける。また、短尺側部装飾体を、上部装飾体の幅方向他端側下方に配置して、外扉の幅方向他端側正面に取り付ける。
【００１５】
すなわち、上端部装飾体及び長尺側部装飾体の表面に、例えば会社や商品等のイメージと対応するデザインを予め施しておけば、長尺側部装飾体の上端部を、上部装飾体の幅方向一端側正面に形成した開口部に正面から挿入して、該長尺側部装飾体を上端部装飾体の幅方向一端側正面に連続して配置することにより、上端部装飾体及び長尺側部装飾体により１つのデザインを構成することができる。
【００１６】
また、この発明の態様として、前記下部装飾体を、前記商品展示部と前記商品取出口との間であって前記外扉の中央部正面に取り付けられる中央部装飾体と、前記商品取出口より下方の前記外扉の下部正面に取り付けられる下端部装飾体とで構成することができる。
【００１７】
この発明によると、中央部装飾体と下端部装飾体を、商品展示部より下方の外扉の中央部正面と、商品取出口より下方の外扉の下部正面にそれぞれ取り付けるので、中央部装飾体と下端部装飾体とによって新しいデザインを構成することができる。
【００１８】
詳述すると、中央部装飾体を、商品展示部と商品取出口を避けて、該商品展示部と商品取出口との間である外扉の中央部正面に取り付ける。また、下端部装飾体を、商品取出口を避けて、該商品取出口より下方の外扉の下部正面に取り付ける。
【００１９】
また、この発明の態様として、前記中央部装飾体及び前記下端部装飾体の左右縁部を、該装飾体の上端側から下端側に向けて徐々に幅狭となる滑らかな曲線形状に形成することができる。
【００２０】
この発明によると、外扉の中央部正面から下部正面の範囲に、正面から見て上端側から下端側に向けて徐々に幅狭となる滑らかなデザインの曲線を現出することができる。
【００２１】
詳述すると、中央部装飾体と下端部装飾体を、外扉の中央部正面と下部正面にそれぞれ取り付けて、中央部装飾体及び下端部装飾体の左右縁部に形成した滑らかな曲線を、正面から見て上端側から下端側に向けて徐々に幅狭となる滑らかな曲線（正面から見て左寄りの曲線、あるいは、右寄りの曲線等）に連続させる。
【００２２】
また、この発明の態様として、前記外扉正面の隣り合う位置に配置される前記上部装飾体及び前記側部装飾体の対向端部と、前記側部装飾体と前記下部装飾体の対向端部に、該各装飾体の対向端部を互いに連結する連結手段を設けることができる。
【００２３】
この発明によれば、扉装飾体を構成する一部の装飾体が外扉の正面から外れたり、扉装飾体の全体が外扉の正面から脱落することを防止でき、外扉の正面に取り付けられた状態を長期に亘り維持することができる。
【００２４】
詳述すると、扉装飾体を構成する上部装飾体、側部装飾体、及び下部装飾体を、自動販売機の外扉の正面に取り付ける際、隣り合う位置に配置される各装飾体の対向端部を連結手段にて一体的に連結する。
【００２５】
これにより、上部装飾体、側部装飾体、及び下部装飾体を独立して取り付けるよりも、隣り合う装飾体を互いに連結して取り付けた方が、外扉の正面に対して強固に固定することができる。  
この結果、扉装飾体を、例えば雨や風等の天候による影響を受けやすい場所に設置された自動販売機の外扉正面に取り付けることができる。
【００２６】
前記取付け手段は、例えば取付け金具、上下係止具、側部金具、両面粘着テープ等で構成することができる。また、連結手段は、例えば連結具、フック、凹部及び凸部、係止爪及び係止孔、両面粘着テープ、マグネット、面ファスナー、ネジ等で構成することができる。
【発明の効果】
【００２７】
この発明によれば、扉装飾体を、既存の自動販売機の外扉正面に取り付けるだけで、自動販売機のデザインを旧型から新型へ変更することができる。
【図面の簡単な説明】
【００２８】
【図１】自動販売機用扉装飾体を自動販売機の外扉に取り付けた正面図。
【図２】扉装飾体を構成する装飾体の分解正面図。
【図３】上部装飾体の取付け板を外扉上部に取り付ける方法の正面斜視図。
【図４】装飾カバーを取付け板に取り付ける方法の正面斜視図。
【図５】外扉に取り付けた長尺側部装飾体の縦断側面図。
【図６】側部金具にて固定される外扉及び短尺側部装飾体の右端側斜視図。
【図７】側部金具にて固定した外扉及び短尺側部装飾体の右端側横断平面図。
【図８】一対の長尺側部装飾体を左右対称に配置した他の装飾例の正面図。
【図９】中央部装飾体及び下部装飾体で現出する曲線の他の装飾例の正面図。
【図１０】複数の装飾体を互いに連結した他の取付け方の正面図。
【発明を実施するための形態】
【００２９】
この発明の一実施形態を以下図面に基づいて詳述する。  
図１は自動販売機用扉装飾体１０１を自動販売機１００の外扉１００ａに取り付けた正面図、図２は扉装飾体１０１を構成する装飾体１０２〜１０６の分解正面図である。
【００３０】
本実施形態の自動販売機用扉装飾体１０１は、図１に示すように、自動販売機１００における販売機本体１００ｂの正面側開口部に対して左右開閉自在に連結された外扉１００ａの正面に取付けられる。
【００３１】
自動販売機１００は、例えば缶型、瓶型、ボトル型、箱型、袋型等の商品を販売するものであり、略箱形状で内部に飲料などの商品を多数収納している正面側が開口された販売機本体１００ｂと、販売機本体１００ｂの正面と同じ大きさで正面側開口部を開閉する外扉１００ａとを備えている。
【００３２】
外扉１００ａの幅方向左端部は、販売機本体１００ｂの幅方向左端側（正面から見て左端）に対してヒンジ１０７にて左右開閉自在に連結している。  
また、外扉１００ａの上部正面には、自動販売機１００が取り扱う商品に酷似した商品見本と、該商品見本に対応する商品選択ボタンとを備えた商品展示部１０８を設けている。
【００３３】
さらに、商品展示部１０８より下方右側で、外扉１００ａの中央部右側正面には、紙幣を投入する紙幣投入口と、硬貨を投入する硬貨投入口と、カードを投入するガード投入口とを備えた精算部１０９と、外扉１００ａを閉状態に施錠するための施錠部１１０とを設けている。
【００３４】
商品展示部１０８より下方左側で、外扉１００ａの中央部左側正面には、上記商品に関連した広告情報が印刷されたポスターやパネル等の広告物を展示するための広告表示部１１１を設けている。
【００３５】
広告表示部１１１より下方で、外扉１００ａの下部左側正面には、購入した商品を取り出すための商品取出口１１２を設けている。また、その商品取出口１１２の右側正面には、お釣りの硬貨を返却するための硬貨返却口１１３を設けている。
【００３６】
扉装飾体１０１は、図２に示すように、外扉１００ａの正面に設けられた商品展示部１０８と、精算部１０９と、施錠部１１０と、広告表示部１１１と、商品取出口１１２とを避けて、該外扉１００ａの正面に対して取り付けが許容される大きさ及び形状に形成している。
【００３７】
また、扉装飾体１０１は、商品展示部１０８より上方で外扉１００ａの上部正面に取り付けられる上端部装飾体１０２と、上端部装飾体１０２の幅方向左端側下面に接続され、外扉１００ａの幅方向左端側正面に取り付けられる長尺側部装飾体１０３と、上端部装飾体１０２の幅方向右端側下面に接続され、外扉１００ａの幅方向右端側正面に取り付けられる短尺側部装飾体１０４と、商品展示部１０８と商品取出口１１２との間であって外扉１００ａの中央部正面に取り付けられる中央部装飾体１０５と、商品取出口１１２より下方で外扉１００ａの下部正面に取り付けられる下端部装飾体１０６との複数に分割して構成している。
【００３８】
また、上述の装飾体１０２〜１０６は、例えばポリカーボネード、アクリル、ポリアセタール、ポリプロピレン、ポリエチレン、ポリエステル等のプラスチックで構成している。
【００３９】
上端部装飾体１０２は、図３、図４にも示すように、外扉１００ａの上部正面と対応する横幅に正面から見て略横長矩形に形成され、商品展示部１０８より上方で外扉１００ａの上部正面が覆われる大きさ及び形状に形成している。かつ、外扉１００ａの上部正面（上端側天井面）よりも上方に上半分が突出する高さに形成している。
【００４０】
また、上端部装飾体１０２は、外扉１００ａの上部平面と上部前面とで直角を成す正面側上部角隅部に対して幅方向に取り付けられる金属製の取付け板１０２ａと、取付け板１０２ａの正面に取り付けられるプラスチック製の成形体１０２ｂと、成形体１０２ｂの上面及び正面、下面を覆うように取り付けられるプラスチック製の装飾カバー１０２ｃとで構成している。
【００４１】
取付け板１０２ａは、側面から見て略Ｚ字形の取付け金具１０２ｄ及びネジ１０２ｅを用いて、外扉１００ａの正面側上部角隅部に沿って幅方向に取り付けられる。また、取付け板１０２ａの下端側中央縁部には、商品展示部１０８の正面側上縁部に形成した係止孔１０８ａに対して係止される係止爪１０２ａａを形成している。
【００４２】
成形体１０２ｂは、取付け板１０２ａの正面に装着した際、取付け板１０２ａの上下端部に取り付けた図示しない止め具を用いて、取付け板１０２ａの正面に取り付けられる。また、成形体１０２ｂの中央部正面には、プレート状のロゴ表示体と、シート状の広告表示体とを前後に重ね合せて収容する凹状の収容部（図示せず）を形成している。
【００４３】
装飾カバー１０２ｃは、成形体１０２ｂの取付け板１０２ａの上面及び正面、下面を覆うように装着した際、専用の止め具１０２ｆを用いて、成形体１０２ｂの正面に取り付けられる。
【００４４】
また、上端部装飾体１０２の幅方向左端側正面には、長尺側部装飾体１０３の上端部と対応する大きさ及び形状の開口部１０２ｇを形成している。
【００４５】
上述の収容部には、上記商品に関連した訴求情報（会社名、商品名等のロゴ情報、或いは、商品名、広告文、宣伝文、メッセージ等）が印刷された情報表示体として、例えばロゴ情報の一例である「○○Ｄｒｉｎｋ」が表面に印刷されたプレート状のロゴ表示体を、該ロゴ表示体の表面を外扉１００ａの正面と対応する方向に向けて収容している（図１、図４参照）。
【００４６】
なお、ロゴ表示体の表面側に、例えば広告情報の一例である「△△Ｃｏｆｆｅｅ」が表面に印刷されたシート状の広告表示体を、該広告表示体の表面を外扉１００ａの正面と対応する方向に向けて、ロゴ表示体の表面側に重ね合わせて収容してもよい。
【００４７】
長尺側部装飾体１０３は、図１、図２、図５に示すように、外扉１００ａの左端側正面よりも幅広（あるいは略同等幅）に形成され、商品展示部１０８の幅方向左端側正面の一部が覆われる幅に形成している。
【００４８】
かつ、外扉１００ａの正面より前方に突出する凸状の横断面形状に形成し、外扉１００ａの上端から下端に至る縦方向と略同一長さに形成するとともに、上端側から下端側に向けて徐々に幅広となる滑らかな曲線にプラスチックで形成している。また、長尺側部装飾体１０３の表面は、外扉１００ａの地色（例えば赤色）と対応する配色に着色している。
【００４９】
長尺側部装飾体１０３の背面側上部には、外扉１００ａの上部外側天井面に対して係止される側面から見て上下逆Ｌ字形の上部係止具１０３ａをネジ１０３ｃで固定している。また、長尺側部装飾体１０３の背面側下部には、外扉１００ａの下部外側底面に対して係止される側面から見てＬ字形の下部係止具１０３ｂをネジ１０３ｃで固定している。
【００５０】
また、下部係止具１０３ｂは、フロントカバー１０１の背面側下部内壁面に対して上下動可能に取付けられており、外扉１００ａの下部外面に係止される上限係止位置と、外扉１００ａの下部外面に対する係止が解除される下限解除位置とに上下動可能に設けている。
【００５１】
なお、上部係止具１０３ａと下部係止具１０３ｂとの間を、図示しない長尺の連結金具にて一体的に連結したり、上部係止具１０３ａ又は下部係止具１０３ｂのいずれか一方の端部を縦方向に延長して連結してもよい。
【００５２】
短尺側部装飾体１０４は、図１、図２に示すように、外扉１００ａの右端側正面よりも幅広に形成され、商品展示部１０８の幅方向右端側正面の一部が覆われる幅に形成している。かつ、外扉１００ａの正面より前方に突出する凸状の横断面形状に形成し、商品展示部１０８の縦方向と略同一長さに形成するとともに、上端側から下端側に向けて同一幅にプラスチックで形成している。
【００５３】
また、短尺側部装飾体１０４の表面は、外扉１００ａの地色（例えば赤色）と対応する配色に着色している。  
なお、短尺側部装飾体１０４の表面に、自動販売機１００が取り扱う商品の販売イメージと対応する例えば文字や絵、模様、自然の風景等を印刷するか、取り扱う商品に関連した広告情報を印刷してもよい。
【００５４】
短尺側部装飾体１０４の背面側左縁部には、商品展示部１０８の正面側右側縁部に対して係止される係止爪１０４ａを形成している。また、短尺側部装飾体１０４の背面側右縁部と、該背面側右縁部が被せられる外扉１００ａの開閉側右側壁部との間には、短尺側部装飾体１０４の背面側右縁部と、外扉１００ａの右側壁部とを固定するための側部金具１０４ｂを配置している。
【００５５】
側部金具１０４ｂは、図６、図７に示すように、外扉１００ａの右側縁部に対して背面側から装着が許容される側面フック１０４ｃと、短尺側部装飾体１０４の右側縁部にネジ止めされる側面連結板１０４ｄとで構成している。
【００５６】
側面フック１０４ｃは、上方から見て略コ字状に形成され、短尺側部装飾体１０４の右側縁部に取り付けられた側面連結板１０４ｄと対応して、外扉１００ａの右側縁部に対して背面側から装着される。
【００５７】
また、側面連結板１０４ｄは、短尺側部装飾体１０４の右側縁部に対して上下方向に所定等間隔を隔ててネジ１０４ｅで固定している。  
なお、実施形態におけるネジ１０４ｅは、回動操作具１０４ｆ(図６参照)にて締込み方向及び緩め方向に回動操作する。
【００５８】
中央部装飾体１０５は、図１、図２に示すように、商品展示部１０８と、精算部１０９と、施錠部１１０と、広告表示部１１１と、商品取出口１１２とを避けて、外扉１００ａの中央部正面（正面から見て左側に寄った中央部正面）に対して取り付けが許容される大きさ及び形状にプラスチックでプレート状に形成している。
【００５９】
中央部装飾体１０５の上側縁部は、外扉１００ａの左端側正面に取り付けた長尺側部装飾体１０３と、右端側正面に取り付けた短尺側部装飾体１０４との間と対応する長さに形成され、該側部装飾体１０３，１０４より内側の商品展示部１０８の下端側縁部と対応する長さに形成している。
【００６０】
中央部装飾体１０５の下側縁部は、商品取出口１１２の幅方向両端部よりも幅狭となる長さに形成している。また、中央部装飾体１０５の左右縁部は、上端側から下端側に向けて徐々に幅狭となる滑らかな曲線（正面から見て左寄りの曲線）に形成している。
【００６１】
中央部装飾体１０５の右端側正面には、精算部１０９の正面全体の露出が許容される右側開口部１０５ａを形成している。この右側開口部１０５ａは、中央部装飾体１０５の右端側正面を、精算部１０９の右側縁部と対応する部分を右向きに開口するとともに、該精算部１０９の上下縁部と左側縁部とが取り囲まれる大きさ及び形状に切り欠いて形成している。
【００６２】
中央部装飾体１０５の左端側正面には、広告表示部１１１の正面全体の露出が許容される左側開口部１０５ｂを形成している。この左側開口部１０５ｂは、中央部装飾体１０５の左端側正面を、広告表示部１１１の左側縁部と対応する部分を左向きに開口するとともに、該広告表示部１１１の上下縁部と右側縁部とが取り囲まれる大きさ及び形状に切り欠いて形成している。
【００６３】
中央部装飾体１０５の背面側には、精算部１０９と対応する右側開口部１０５ａの上縁部と、広告表示部１１１と対応する左側開口部１０５ｂの上縁部と、商品取出口１１２と対応する下端側縁部とに、両面粘着テープ１０５ｃをそれぞれ貼着している。
【００６４】
下端部装飾体１０６は、図１、図２に示すように、商品取出口１１２を避けて、外扉１００ａの下部正面（正面から見て左側に寄った下部正面）に対して取り付けが許容される大きさ及び形状にプラスチックでプレート状に形成している。
【００６５】
下端部装飾体１０６の上側縁部は、中央部装飾体１０５の下側縁部と連続する幅に形成している。また、下端部装飾体１０６の左右縁部は、上端側から下端側に向けて徐々に幅狭となる滑らかな曲線（正面から見て左寄りの曲線）に形成している。
【００６６】
下端部装飾体１０６の背面側には、商品取出口１１２の下側縁部と対応する下端部装飾体１０６の上縁部と、外扉１００ａの下端側縁部と対応する下端部装飾体１０６の上縁部とに、両面粘着テープ１０６ｃをそれぞれ貼着している。
【００６７】
なお、両面粘着テープ１０５ｃ，１０６ｃの貼着位置や貼着方向は、外扉１００ａの正面に設けられた精算部１０９と、広告表示部１１１と、商品取出口１１２との配置に応じて変更してもよい。
【００６８】
次に、図１、図２を用いて、本実施形態の扉装飾体１０１を、自動販売機１００の外扉１００ａの正面に取り付ける方法を説明する。  
先ず、上端部装飾体１０２を、外扉１００ａの上部正面に取付ける場合、取付け板１０２ａを、取付け金具１０２ｄ及びネジ１０２ｅを用いて、外扉１００ａの正面側上部角隅部に固定した後、成形体１０２ｂを、図示しない止め具を用いて、取付け板１０２ａの正面に取り付ける。
【００６９】
続いて、成形体１０２ｂと装飾カバー１０２ｃとの上端側後縁部を互いに係止し、該成形体１０２ｂと装飾カバー１０２ｃとの下端側後縁部を複数の止め具１０２ｆにて固定し、装飾カバー１０２ｃを、成形体１０２ｂの上面及び正面、下面が覆われるように取付ける（図３、図４参照）。
【００７０】
これにより、上端部装飾体１０２を、商品展示部１０８より上方の外扉１００ａの上部正面が覆われるように取付けることができる（図１参照）。
【００７１】
次に、長尺側部装飾体１０３を、外扉１００ａの幅方向左端側正面に取り付ける場合、長尺側部装飾体１０３の背面側上部に取り付けた上部係止具１０３ａを、外扉１００ａの上部外側天井面に係止する。
【００７２】
続いて、長尺側部装飾体１０３の全体を下方に引き下げて、長尺側部装飾体１０３の背面側下部に取り付けた下部係止具１０３ｂを外扉１００ａの下部外側底面に係止した後、下部係止具１０３ｂをネジ１０３ｃにて係止状態に固定する（図５参照）。
【００７３】
これにより、長尺側部装飾体１０３を、商品展示部１０８の幅方向左端側正面の一部が覆われるとともに、外扉１００ａの左端側正面が覆われるように取り付けることができる（図１参照）。
【００７４】
また、長尺側部装飾体１０３の上端部を、上端部装飾体１０２の幅方向左端側に形成した開口部１０２ｇに挿入して、該長尺側部装飾体１０３を上端部装飾体１０２の左端側に対して連続するように配置する。
【００７５】
つまり、上端部装飾体１０２及び長尺側部装飾体１０３の表面に、例えば会社や商品等のイメージと対応するデザインを複数に分割して印刷することにより、長尺側部装飾体１０３の上端部を上端部装飾体１０２の開口部１０２ｇに挿入して、長尺側部装飾体１０３を上端部装飾体１０２の幅方向左端側に連続して配置した際、上端部装飾体１０２と長尺側部装飾体１０３によって１つのデザインを構成することができる。
【００７６】
次に、短尺側部装飾体１０４を、外扉１００ａの幅方向右端側正面に取り付ける場合、図１に示すように、短尺側部装飾体１０４の左側縁部に形成した係止爪１０４ａを、商品展示部１０８の正面側右側縁部に対して正面側から係止する。
【００７７】
続いて、側部金具１０４ｂの側面フック１０４ｃを、短尺側部装飾体１０４の右側縁部に取り付けた側面連結板１０４ｄと対応して外扉１００ａの右側縁部に対して背面側から装着する。
【００７８】
この後、側面連結板１０４ｄを、側面フック１０４ｃの開口部に対して正面側から挿入して、側面フック１０４ｃと側面連結板１０４ｄとの係合端部をネジ１０４ｅにて連結固定するので、短尺側部装飾体１０４の右側縁部を外扉１００ａの右側縁部が覆われるように固定することができる（図６、図７参照）。
【００７９】
これにより、短尺側部装飾体１０４を、商品展示部１０８の幅方向右端側正面の一部が覆われるとともに、外扉１００ａの右端側正面が覆われるように取り付けることができる（図１参照）。
【００８０】
また、短尺側部装飾体１０４の上端部を、上端部装飾体１０２の幅方向右端側下面に近接あるいは当接して、上端部装飾体１０２の右端側に対して連続するように配置する。
【００８１】
次に、中央部装飾体１０５及び下端部装飾体１０６を、外扉１００ａの中央部正面と下部正面に取り付ける場合、中央部装飾体１０５及び下端部装飾体１０６の背面側に貼着した両面粘着テープ１０５ｃ，１０６ｃの裏面から離型紙（図示せず）を剥離し、中央部装飾体１０５を、商品展示部１０８の左側下方で、精算部１０９と、施錠部１１０と、広告表示部１１１とを除いた外扉１００ａの中央部正面が覆われるように貼着する。
【００８２】
中央部装飾体１０５を、外扉１００ａの正面に設けられた商品展示部１０８と、精算部１０９と、広告表示部１１１と、商品取出口１１２とを避けて、商品展示部１０８と商品取出口１１２との間であって外扉１００ａの中央部正面が覆われるように正面から貼着する。
【００８３】
また、下端部装飾体１０６を、商品取出口１１２を避けて、該商品取出口１１２より下方であって外扉１００ａの下部正面が覆われるように正面から貼着する（図１参照）。
【００８４】
中央部装飾体１０５と下端部装飾体１０６を貼着する際、中央部装飾体１０５の上側縁部を、長尺側部装飾体１０３と短尺側部装飾体１０４の間と対応する商品展示部１０８の下端側縁部に沿わせるとともに、中央部装飾体１０５と下端部装飾体１０６とを、正面から見て右側上方から左側下方に向けて徐々に幅狭となる滑らかな曲線（正面から見て左寄りの曲線）に連続して配置する。
【００８５】
これにより、商品展示部１０８より下方の外扉１００ａの中央部正面から下部正面の範囲に、正面から見て右上から左下に向けて徐々に幅狭となる滑らかな連続するデザインの左寄り曲線を現出することができる（図１参照）。
【００８６】
以上のように、扉装飾体１０１を、既存の自動販売機１００の外扉１００ａ正面に取り付けるだけで、自動販売機１００のデザインを旧型から新型へ簡単かつ容易に変更することができ、デザインを変更する際の作業性が向上する。
【００８７】
また、扉装飾体１０１のいずれか一つ又は複数の装飾体１０３〜１０６に、例えば割れ、破損等が発生したり、汚れや変色、経年変化等が顕著であり、扉装飾体１０１による取付け当初のデザインが損なわれてしまっても、その部分の装飾体１０３〜１０６のみを交換するだけで、取付け当初のデザインに取り戻すことができる。
【００８８】
また、装飾性あるいは意匠性が損なわれてしまった部分の装飾体１０３〜１０６のみを交換するだけで済むため、従来例のように扉カバー全体を交換するのに比べて、変更時の作業性が向上するとともに、交換に要する費用が安くて済み、コストの低減を図ることができる。
【００８９】
また、装飾体１０３〜１０６のいずれか一つ又は複数を交換すれば、装飾体１０３〜１０６で構成するデザインの一部を変更することができる。
【００９０】
次に、図８を用いて、一対の長尺側部装飾体１０３を、上端部装飾体１０２の幅方向左端側下方と幅方向右端側下方とに配置する例を説明する。図８は一対の長尺側部装飾体１０３を左右対称に配置した他の装飾例の正面図である。
【００９１】
対称形状に形成した長尺側部装飾体１０３，１０３の上端部を、上端部装飾体１０２の幅方向左端側及び幅方向右端側に形成した開口部１０２ｇ，１０２ｇにそれぞれ挿入して、長尺側部装飾体１０３，１０３を、図１に示す外扉１００ａの幅方向左端側正面及び幅方向右端側正面に対して、上端部装飾体１０２の左右端部に対して連続するように配置して取り付ける。
【００９２】
つまり、外扉１００ａの正面に対して、一対の長尺側部装飾体１０３を有する扉装飾体１０１を正面から見て門形に取り付けるので、前記実施形態の長尺側部装飾体１０３と短尺側部装飾体１０４を取り付けた場合（図１参照）とは異なるデザインに変更することができる。
【００９３】
この結果、一対の長尺側部装飾体１０３を、外扉１００ａの幅方向左端側正面及び幅方向右端側正面に取り付けるだけで、自動販売機１００のデザインを旧型から新型へ簡単かつ容易に変更することができ、前記実施形態と略同等の作用及び効果を奏することができる。
【００９４】
次に、図９を用いて、中央部装飾体１０５Ｘ及び下端部装飾体１０６Ｙにて現出される曲線を、正面から見て滑らかな右寄りの曲線に変更する他の装飾例を説明する。図９は中央部装飾体１０５Ｘ及び下端部装飾体１０６Ｙで現出する曲線の他の装飾例の正面図である。
【００９５】
中央部装飾体１０５Ｘ及び下端部装飾体１０６Ｙの左右縁部を、上端側から下端側に向けて徐々に幅狭となる滑らかな右寄りの曲線に形成し、中央部装飾体１０５Ｘと下端部装飾体１０６Ｙを、外扉１００ａの中央部正面と下部正面にそれぞれ取り付けて、中央部装飾体１０５Ｘ及び下端部装飾体１０６Ｙの左右縁部に形成した滑らかな曲線を、正面から見て左側上方から右側下方に向けて徐々に幅狭となる滑らかな右寄りの曲線に連続させる。
【００９６】
つまり、外扉１００ａの中央部正面から下部正面の範囲に、正面から見て左上から右下に向けて徐々に幅狭となる滑らかな右寄りの曲線を現出するので、前記実施形態の中央部装飾体１０５と下端部装飾体１０６を取り付けた場合（図１参照）とは異なるデザインに変更することができる。
【００９７】
この結果、中央部装飾体１０５Ｘと下端部装飾体１０６Ｙを、外扉１００ａの中央部正面と下部正面に取り付けるだけで、外扉１００ａの中央部正面から下部正面の範囲に現出される曲線を、左寄りの曲線から右寄りの曲線に逆向きとなるようにデザイン変更することができ、前記実施形態と略同等の作用及び効果を奏することができる。
【００９８】
次に、図１０を用いて、外扉１００ａ正面の隣り合う位置に配置される上端部装飾体１０２と、長尺側部装飾体１０３と、短尺側部装飾体１０４と、中央部装飾体１０５とを連結する他の取付け方を説明する。  
図１０は上端部装飾体１０２と、長尺側部装飾体１０３と、短尺側部装飾体１０４と、中央部装飾体１０５とを互いに連結した他の取付け方の正面図である。
【００９９】
すなわち、上端部装飾体１０２の幅方向左右端部と、長尺側部装飾体１０３及び短尺側部装飾体１０４の上端部との対向端部を連結具１１５にて一体的に連結する。また、中央部装飾体１０５の幅方向左右端部と、長尺側部装飾体１０３の幅方向右端部と、短尺側部装飾体１０４の下端部との対向端部を連結具１１５にて一体的に連結する。
【０１００】
これにより、装飾体１０２〜１０５を独立して取り付けるよりも、装飾体１０２〜１０５を互いに連結して取り付けた方が、装飾体１０２〜１０５の固定力が互いに作用するので、外扉１００ａの正面に対してより強固に固定することができる。
【０１０１】
つまり、扉装飾体１０１を、屋外等の天候による影響を受けやすい場所に設置された自動販売機１００の外扉１００ａの正面に取り付けた際、扉装飾体１０１を構成する一部の装飾体１０２〜１０５が外扉１００ａの正面から外れたり、扉装飾体１０１の全体が外扉１００ａの正面から脱落することを防止できる。
【０１０２】
この結果、扉装飾体１０１を、例えば雨や風等の天候による影響を受けやすい場所に設置された自動販売機１００の外扉１００ａ正面に取り付けることができる。  
なお、上端部装飾体１０２と、長尺側部装飾体１０３と、短尺側部装飾体１０４とを連結具１１５にて連結するか、中央部装飾体１０５と、長尺側部装飾体１０３と、短尺側部装飾体１０４とを連結具１１５にて連結してもよく、実施形態の連結パターンのみに限定されるものではない。
【０１０３】
また、連結具１１５の代わりに、例えば両面粘着テープ、マグネット、面ファスナー、ネジ等の固定手段を用いてもよい。
【０１０４】
この発明の構成と、前記実施形態との対応において、  
この発明の側部装飾体は、実施形態の長尺側部装飾体１０３と短尺側部装飾体１０４に対応し、  
以下同様に、  
上部装飾体は、上端部装飾体１０２に対応し、  
下部装飾体は、中央部装飾体１０５と、下端部装飾体１０６に対応し、  
取付け手段は、取付け金具１０２ｄと、上部係止具１０３ａ及び下部係止具１０３ｂと、側部金具１０４ｂと、両面粘着テープ１０５ｃ，１０６ｃに対応し、  
連結手段は、連結具１１５に対応するも、  
この発明は、上述の実施形態の構成のみに限定されるものではなく、請求項に示される技術思想に基づいて応用することができ、多くの実施の形態を得ることができる。
【０１０５】
実施形態における長尺側部装飾体１０３の表面に、例えば地色（例えば赤色）と対比する白色のラインを、長尺側部装飾体１０３の上端側から下端側に向けて滑らかな曲線に印刷してもよい。
【０１０６】
また、長尺側部装飾体１０３と、短尺側部装飾体１０４と、中央部装飾体１０５と、下端部装飾体１０６との表面に、自動販売機１００が取り扱う商品の販売イメージと対応する例えば文字や絵、線画、模様、植物、動物、自然の風景等を印刷してもよい。
【０１０７】
さらに、上端部装飾体１０２と、長尺側部装飾体１０３と、短尺側部装飾体１０４とを、両面粘着テープを用いて外扉１００ａの正面に取り付けてもよい。また、両面粘着テープの代わりに、例えばマグネット、面ファスナー、ネジ等の固定手段を用いて、装飾体１０３〜１０６のいずれか一つ又は複数を外扉１００ａの正面に取り付けてもよい。
【０１０８】
さらに、中央部装飾体１０５の上下縁部を、商品展示部１０８と商品取出口１１２の縁部に対して係止可能に設け、左右開口部１０５ａ，１０５ｂを、精算部１０９と広告表示部１１１の縁部に対して係止可能に設け、下端部装飾体１０６の上縁部を、商品取出口１１２の縁部に対して係止可能に設けてもよい。これにより、例えば取付け金具や両面粘着テープ、ネジ等の固定手段を用いなくても、装飾体１０３〜１０６を外扉１００ａの正面に取取付けることができる。
【０１０９】
さらに、中央部装飾体１０５及び下端部装飾体１０６の少なくとも一方の表面（正面）に、商品に関連した訴求情報が印刷された凸状の表示部を該装飾体１０５，１０６の表面より前方に突出して形成してもよい。
【０１１０】
さらに、中央部装飾体１０５と下端部装飾体１０６を、１枚のプレート状に形成した装飾体で構成してもよく、扉装飾体１０１の総数が少なくなり、取り扱いや保管などの作業が容易となる。
【符号の説明】
【０１１１】
１００…自動販売機
１００ａ…外扉
１００ｂ…販売機本体
１０１…扉装飾体
１０２…上端部装飾体
１０２ａ…取付け板
１０２ｂ…成形体
１０２ｃ…装飾カバー
１０２ｄ…取付け金具
１０３…長尺側部装飾体
１０３ａ…上部係止具
１０３ｂ…下部係止具
１０４…短尺側部装飾体
１０４ａ…係止爪
１０４ｂ…側部金具
１０４ｃ…側面フック
１０４ｄ…側面連結板
１０５，１０５Ｘ…中央部装飾体
１０６，１０６Ｙ…下端部装飾体
１０５ｃ，１０６ｃ…両面粘着テープ
１０８…商品展示部
１０９…精算部
１１０…施錠部
１１１…広告表示部
１１２…商品取出口
１１３…硬貨返却口
１１５…連結具
【図１】
0005762208.tif 000002
【図２】
0005762208.tif 000003
【図３】
0005762208.tif 000004
【図４】
0005762208.tif 000005
【図５】
0005762208.tif 000006
【図６】
0005762208.tif 000007
【図７】
0005762208.tif 000008
【図８】
0005762208.tif 000009
【図９】
0005762208.tif 000010
【図１０】
0005762208.tif 000011